(57)【要約】【課題】  本発明は、所望の機能情報の算出に適した光音響画像データの指定を容易にする情報処理装置を提供することを目的とする。【解決手段】  本発明に係る情報処理装置は、記憶手段に記憶された光音響画像データ群のうち、ユーザーの指示に基づいて指定された複数の光音響画像データの付帯情報を取得する付帯情報取得手段と、算出が要求される機能情報を定義する要求情報を取得する要求情報取得手段と、付帯情報及び要求情報に基づいて、複数の光音響画像データの組み合わせが機能情報の算出に適しているかを示す適合度情報を取得する適合度情報取得手段と、を有する。【選択図】  図１
2019088576.tif 000002
【特許請求の範囲】
【請求項１】
記憶手段に記憶された光音響画像データ群のうち、ユーザーの指示に基づいて指定された複数の光音響画像データの付帯情報を取得する付帯情報取得手段と、
算出が要求される機能情報を定義する要求情報を取得する要求情報取得手段と、
前記付帯情報及び前記要求情報に基づいて、前記複数の光音響画像データの組み合わせが前記機能情報の算出に適しているかを示す適合度情報を取得する適合度情報取得手段と、
を有することを特徴とする情報処理装置。
【請求項２】
前記付帯情報は、測定波長、画像種別、撮影日時、及び患者情報の少なくとも一つを表す情報を含む
ことを特徴とする請求項１に記載の情報処理装置。
【請求項３】
前記付帯情報は、測定波長を表す情報を含み、
前記適合度情報取得手段は、前記付帯情報と前記要求情報とに基づいて、前記複数の光音響画像データに対応する複数の測定波長の組み合わせが前記機能情報の算出に適しているかを示す前記適合度情報を取得する
ことを特徴とする請求項２に記載の情報処理装置。
【請求項４】
前記要求情報取得手段は、複数の機能情報のうち、ユーザーの指示に基づいて指定された前記機能情報を定義する前記要求情報を取得する
ことを特徴とする請求項１から３のいずれか１項に記載の情報処理装置。
【請求項５】
前記適合度情報が所定の条件を満たすときに、前記複数の光音響画像データを用いて前記機能情報を算出する機能情報算出手段と、
前記適合度情報が所定の条件を満たさないときに、前記適合度情報に基づいた情報を表示手段に表示させる表示制御手段と、
を更に有する
ことを特徴とする請求項１から４のいずれか１項に記載の情報処理装置。
【請求項６】
記憶手段に記憶された光音響画像データ群の付帯情報を取得する付帯情報取得手段と、
前記光音響画像データ群のうち、ユーザーの指示に基づいて指定された第１の光音響画像データを定義する指定情報を取得する指定情報取得手段と、
算出が要求される機能情報を定義する要求情報を取得する要求情報取得手段と、
表示制御手段と、
を有し、
前記表示制御手段は、前記付帯情報、前記指定情報、及び前記要求情報に基づいて、前記光音響画像データ群のうち、前記機能情報の算出に適し、かつ、前記第１の光音響画像データとの組み合わせに適した第２の光音響画像データを示す情報を表示手段に表示させる
ことを特徴とする情報処理装置。
【請求項７】
前記付帯情報は、測定波長、画像種別、撮影日時、及び患者情報の少なくとも一つを表す情報を含む
ことを特徴とする請求項６に記載の情報処理装置。
【請求項８】
前記付帯情報は、測定波長を表す情報を含み、
前記表示制御手段は、前記要求情報、前記付帯情報、及び前記指定情報に基づいて、前記第１の光音響画像データに対応する測定波長に対して、前記機能情報の算出に適した測定波長の照射光によって撮影された前記第２の光音響画像データを示す情報を前記表示手段に表示させる
ことを特徴とする請求項７に記載の情報処理装置。
【請求項９】
前記要求情報取得手段は、複数の機能情報のうち、ユーザーの指示に基づいて指定された前記機能情報を表す前記要求情報を取得する
ことを特徴とする請求項６から８のいずれか１項に記載の情報処理装置。
【請求項１０】
前記表示制御手段は、
前記光音響画像データ群を示すアイテム群を前記表示手段に表示させ、
前記アイテム群のうち、前記第２の光音響画像データを示すアイテムを識別できるように、前記アイテム群の表示態様を決定する
ことを特徴とする請求項６から９のいずれか１項に記載の情報処理装置。
【請求項１１】
記憶手段に記憶された光音響画像データ群の付帯情報を取得する付帯情報取得手段と、
算出が要求される機能情報を定義する要求情報を取得する要求情報取得手段と、
前記付帯情報及び前記要求情報に基づいて、前記光音響画像データ群のうち、前記機能情報の算出に適した光音響画像データの組み合わせを表示手段に表示させる表示制御手段と、
を有することを特徴とする情報処理装置。
【請求項１２】
前記付帯情報は、測定波長、画像種別、撮影日時、及び患者情報の少なくとも一つを表す情報を含む
ことを特徴とする請求項１１に記載の情報処理装置。
【請求項１３】
前記付帯情報は、照射光の波長を表す情報を含み、
前記表示制御手段は、前記付帯情報及び前記要求情報に基づいて、前記機能情報の算出に適した測定波長の組み合わせに対応する前記光音響画像データの組み合わせを示す情報を前記表示手段に表示させる
ことを特徴とする請求項１２に記載の情報処理装置。
【請求項１４】
前記要求情報取得手段は、複数の機能情報のうち、ユーザーの指示に基づいて指定された前記機能情報を定義する前記要求情報を取得する
ことを特徴とする請求項１１から１３のいずれか１項に記載の情報処理装置。
【請求項１５】
前記表示制御手段は、
前記光音響画像データ群を示すアイテム群を前記表示手段に表示させ、
前記アイテム群のうち、前記機能情報の算出に適した前記光音響画像データの組み合わせに対応する複数のアイテムを識別できるように、前記アイテム群の表示態様を決定する
ことを特徴とする請求項１１から１４のいずれか１項に記載の情報処理装置。
【請求項１６】
前記表示制御手段は、前記光音響画像データ群から、前記機能情報の算出に適した前記光音響画像データの組み合わせを複数決定する
ことを特徴とする請求項１１から１５のいずれか１項に記載の情報処理装置。
【請求項１７】
前記付帯情報取得手段は、前記付帯情報として患者情報を取得し、
前記表示制御手段は、前記患者情報に対応する光音響画像データの組み合わせにより算出可能な機能情報を識別できるように前記表示手段に表示させる
ことを特徴とする請求項１１から１６のいずれか１項に記載の情報処理装置。
【請求項１８】
記憶手段に記憶された光音響画像データ群のうち、ユーザーの指示に基づいて指定された複数の光音響画像データの付帯情報を取得し、
算出が要求される機能情報を定義する要求情報を取得し、
前記付帯情報及び前記要求情報に基づいて、前記複数の光音響画像データの組み合わせが前記機能情報の算出に適しているかを示す適合度情報を取得する
ことを特徴とする情報処理方法。
【請求項１９】
記憶手段に記憶された光音響画像データ群の付帯情報を取得し、
前記光音響画像データ群のうち、ユーザーの指示に基づいて指定された第１の光音響画像データを定義する指定情報を取得し、
算出が要求される機能情報を定義する要求情報を取得し、
前記付帯情報、前記指定情報、及び前記要求情報に基づいて、前記光音響画像データ群のうち、前記機能情報の算出に適し、かつ、前記第１の光音響画像データとの組み合わせに適した第２の光音響画像データを示す情報を表示手段に表示させる
ことを特徴とする情報処理方法。
【請求項２０】
記憶手段に記憶された光音響画像データ群の付帯情報を取得し、
算出が要求される機能情報を定義する要求情報を取得し、
前記付帯情報及び前記要求情報に基づいて、前記光音響画像データ群のうち、前記機能情報の算出に適した光音響画像データの組み合わせを表示手段に表示させる
ことを特徴とする情報処理方法。
【請求項２１】
請求項１８から２０のいずれか１項に記載の情報処理方法をコンピュータに実行させるためのプログラム。
【発明の詳細な説明】
【技術分野】
【０００１】
本発明は、光音響画像データに関する処理を行う情報処理装置、情報処理方法、およびプログラムに関する。
【背景技術】
【０００２】
生体などの被検体にパルス光を照射し、光音響効果により発生した音響波（光音響波とも呼ぶ）に基づいて、被検体内の情報を示す光音響画像を表示する光音響イメージングが知られている。
【０００３】
光音響イメージングでは、光吸収によって発生した音響波の音圧（初期音圧）や光吸収係数などの空間分布を表す光音響画像データを生成することができる。
【０００４】
光音響イメージングにおいては、光音響装置により得られる複数の光音響画像データを用いて、機能情報を示す新たな画像データを生成することもできる。
【０００５】
特許文献１は、互いに波長の異なる複数の光を照射して各波長に対応する吸収係数分布を求めることを開示する。また、特許文献１は、複数の波長に対応する複数の吸収係数分布を用いて、被検体の機能情報として酸素飽和度の情報を算出することを開示する。
【先行技術文献】
【特許文献】
【０００６】
【特許文献１】特開２０１７−３５４０７号公報
【発明の概要】
【発明が解決しようとする課題】
【０００７】
複数の光音響画像データを用いて被検体の機能情報を算出する場合に、ユーザーが所望の機能情報の算出に適していない光音響画像データを指定してしまうと、所望の機能情報を正しく得られない場合がある。
【０００８】
そこで本発明は、所望の機能情報の算出に適した光音響画像データの指定を容易にする情報処理装置を提供することを目的とする。
【課題を解決するための手段】
【０００９】
本発明に係る情報処理装置は、記憶手段に記憶された光音響画像データ群のうち、ユーザーの指示に基づいて指定された複数の光音響画像データの付帯情報を取得する付帯情報取得手段と、算出が要求される機能情報を定義する要求情報を取得する要求情報取得手段と、付帯情報及び要求情報に基づいて、複数の光音響画像データの組み合わせが機能情報の算出に適しているかを示す適合度情報を取得する適合度情報取得手段と、を有する。
【発明の効果】
【００１０】
本発明に係る情報処理装置によれば、所望の機能情報の算出に適した光音響画像データの指定を容易にすることができる。
【図面の簡単な説明】
【００１１】
【図１】本発明の一実施形態に係るシステムのブロック図
【図２】本発明の一実施形態に係る機能情報の算出方法のフロー図
【図３】本発明の一実施形態に係る、機能情報を指定するＧＵＩを示す図
【図４】本発明の一実施形態に係る、適切な光音響画像データの組み合わせを表示するＧＵＩを示す図
【図５】本発明の一実施形態に係る、適切な光音響画像データの候補を表示するＧＵＩを示す図
【図６】本発明の一実施形態に係る、不適切な光音響画像データが指定された場合のＧＵＩを示す図
【図７】本発明の一実施形態に係る、機能情報に基づいた画像を表示するＧＵＩを示す図
【図８】本発明の一実施形態に係る光音響装置及び情報処理装置の詳細なブロック図
【図９】本発明の一実施形態に係るプローブの模式図
【図１０】本発明の一実施形態に係るコンピュータとその周辺構成を示すブロック図
【図１１】本発明の一実施形態に係る光音響画像データの生成方法のフロー図
【発明を実施するための形態】
【００１２】
以下に図面を参照しつつ、本発明の好適な実施の形態について説明する。ただし、以下に記載されている構成部品の寸法、材質、形状およびそれらの相対配置などは、発明が適用される装置の構成や各種条件により適宜変更されるべきものである。よって、この発明の範囲を以下の記載に限定する趣旨のものではない。
【００１３】
本発明に係るシステムにより得られる光音響画像データは、光エネルギーの吸収量や吸収率を反映している。光音響画像データは、光音響波の発生音圧（初期音圧）、光吸収エネルギー密度、及び光吸収係数などの少なくとも１つの被検体情報の空間分布を表す画像データである。光音響画像データは、二次元の空間分布を表す画像データであってもよいし、三次元の空間分布を表す画像データであってもよい。また、本発明に係るシステムは、複数の光音響画像データを用いて被検体の機能情報を算出することができる。機能情報は、複数の光音響画像データから算出される被検体の機能を示す情報である。例えば、機能情報は、グルコース濃度、コラーゲン濃度、メラニン濃度、脂肪や水の体積分率など、被検体を構成する物質の濃度情報であってもよい。また、機能情報は、被検体の状態の経時変化を特定することのできる、複数の光音響画像データの差分情報であってもよい。
【００１４】
以下、本実施形態のシステムの構成及び情報処理方法について説明する。
【００１５】
図１を用いて本実施形態に係るシステムを説明する。図１は、本実施形態に係るシステムの構成を示すブロック図である。本実施形態に係るシステムは、光音響装置１１００、記憶装置１２００、情報処理装置１３００、表示装置１４００、及び入力装置１５００を備える。装置間のデータの送受信は有線で行われてもよいし、無線で行われてもよい。
【００１６】
光音響装置１１００は、被検体を撮影することにより光音響画像データを生成し、記憶装置１２００に出力する。光音響装置１１００は、光照射により発生した光音響波を受信することにより得られる受信信号を用いて、被検体内の複数位置のそれぞれに対応する特性値の情報を生成する装置である。すなわち、光音響装置１１００は、光音響波に由来した特性値情報の空間分布を医用画像データ（光音響画像データ）として生成する装置である。
【００１７】
光音響装置１１００によって生成される光音響画像データは、光エネルギーの吸収量および吸収率を反映している。光音響装置１１００によって生成された光音響画像データとしては、発生した音響波の音圧（初期音圧）、光エネルギー吸収密度、光の吸収係数、組織を構成する物質の濃度に関する情報等がある。物質の濃度に関する情報とは、例えば、血液における酸素飽和度、トータルヘモグロビン濃度、オキシヘモグロビンあるいはデオキシヘモグロビン濃度などである。また、物質の濃度に関する情報は、グルコース濃度、コラーゲン濃度、メラニン濃度、脂肪や水の体積分率などであってもよい。
【００１８】
記憶装置１２００は、ＲＯＭ（Ｒｅａｄ  ｏｎｌｙ  ｍｅｍｏｒｙ）、磁気ディスクやフラッシュメモリなどの記憶媒体であってもよい。また、記憶装置１２００は、ＰＡＣＳ（Ｐｉｃｔｕｒｅ  Ａｒｃｈｉｖｉｎｇ  ａｎｄ  Ｃｏｍｍｕｎｉｃａｔｉｏｎ  Ｓｙｓｔｅｍ）等のネットワークを介した記憶サーバであってもよい。
【００１９】
情報処理装置１３００は、記憶装置１２００に記憶された光音響画像データや光音響画像データの付帯情報等の情報を処理する装置である。
【００２０】
情報処理装置１３００の演算機能を担うユニットは、ＣＰＵやＧＰＵ（Ｇｒａｐｈｉｃｓ  Ｐｒｏｃｅｓｓｉｎｇ  Ｕｎｉｔ）等のプロセッサ、ＦＰＧＡ（Ｆｉｅｌｄ  Ｐｒｏｇｒａｍｍａｂｌｅ  Ｇａｔｅ  Ａｒｒａｙ）チップ等の演算回路で構成されることができる。これらのユニットは、単一のプロセッサや演算回路から構成されるだけでなく、複数のプロセッサや演算回路から構成されていてもよい。
【００２１】
情報処理装置１３００の記憶機能を担うユニットは、ＲＯＭ（Ｒｅａｄ  ｏｎｌｙ  ｍｅｍｏｒｙ）、磁気ディスクやフラッシュメモリなどの非一時記憶媒体で構成することができる。また、記憶機能を担うユニットは、ＲＡＭ（Ｒａｎｄｏｍ  Ａｃｃｅｓｓ  Ｍｅｍｏｒｙ）などの揮発性の媒体であってもよい。なお、プログラムが格納される記憶媒体は、非一時記憶媒体である。なお、記憶機能を担うユニットは、１つの記憶媒体から構成されるだけでなく、複数の記憶媒体から構成されていてもよい。
【００２２】
情報処理装置１３００の制御機能を担うユニットは、ＣＰＵなどの演算素子で構成される。制御機能を担うユニットは、システムの各構成の動作を制御する。制御機能を担うユニットは、入力部からの測定開始などの各種操作による指示信号を受けて、システムの各構成を制御してもよい。また、制御機能を担うユニットは、記憶部に格納されたプログラムコードを読み出し、システムの各構成の作動を制御してもよい。
【００２３】
表示装置１４００は、液晶ディスプレイや有機ＥＬ（Ｅｌｅｃｔｒｏ  Ｌｕｍｉｎｅｓｃｅｎｃｅ）などのディスプレイである。また、表示装置１４００は、画像や装置を操作するためのＧＵＩを表示してもよい。
【００２４】
入力装置１５００としては、ユーザーが操作可能な、マウスやキーボードなどで構成される操作コンソールを採用することができる。また、表示装置１４００をタッチパネルで構成し、表示装置１４００を入力装置１５００として利用してもよい。
【００２５】
図２は、本実施形態に係る情報処理装置１３００の具体的な構成例を示す。本実施形態に係る情報処理装置１３００は、ＣＰＵ１３１０、ＧＰＵ１３２０、ＲＡＭ１３３０、ＲＯＭ１３４０、外部記憶装置１３５０から構成される。また、情報処理装置１３００には、表示装置１４００としての液晶ディスプレイ１４１０、入力装置１５００としてのマウス１５１０、キーボード１５２０が接続されている。さらに、情報処理装置１３００は、ＰＡＣＳ（Ｐｉｃｔｕｒｅ  Ａｒｃｈｉｖｉｎｇ  ａｎｄ  Ｃｏｍｍｕｎｉｃａｔｉｏｎ  Ｓｙｓｔｅｍ）などの記憶装置１２００としての画像サーバ１２１０と接続されている。これにより、画像データを画像サーバ１２１０上に保存したり、画像サーバ１２１０上の画像データを表示装置１４００に表示したりすることができる。
【００２６】
図３は、本実施形態に係るシステムを利用した機能情報を取得するフローを示す図である。以下、図３を用いて本実施形態に係る機能情報の取得フローを説明する。
【００２７】
（Ｓ１００：光音響画像データを生成する工程）
光音響装置１１００は、被検体を撮影することにより光音響画像データを生成し、記憶装置１２００に出力する。光音響画像データの生成方法の詳細については後述する。
【００２８】
（Ｓ２００：光音響画像データの付帯情報を登録する工程）
光音響装置１１００は、光音響画像データに付帯情報を関連付けて登録して、光音響画像データを記憶装置１２００に記憶させる。記憶装置１２００には、１回の撮影により生成された光音響画像データだけではなく、付帯情報が関連付けられた光音響画像データ群が記憶されている。後述する光音響画像データ群は、記憶装置１２００に保存された画像データ全体であってもよいし、記憶装置１２００の一部の画像データであってもよい。ユーザーが入力装置１５００を用いて、記憶装置１２００に記憶された光音響画像データの付帯情報を変更してもよい。
【００２９】
付帯情報としては、患者情報や光音響画像データに関する情報などが挙げられる。患者情報とは、例えば、患者ＩＤ、氏名、生年月日、性別、過去の検査の日時・撮影部位・モダリティなどの少なくとも一つの情報を含む。光音響画像データに関する情報とは、例えば、撮影日時、撮影部位、測定波長、初期音圧分布や吸収係数分布など光音響画像データの種類（画像種別）などの少なくとも一つの情報を含む。
【００３０】
（Ｓ３００：機能情報を指定する工程）
ユーザーは、入力装置１５００を用いて、これから算出を希望する機能情報を指定する。要求情報取得手段としての情報処理装置１３００は、入力装置１５００を介して、ユーザーが算出を要求する機能情報を定義する要求情報を取得する。例えば、ユーザーは、表示装置１４００に表示された複数の機能情報のリストから所望の機能情報を指定することができる。複数の機能情報の中から所望の機能情報を指定する方法は、いかなる方法であってもよい。なお、要求情報は、算出することが予め決定されている機能情報が定義された情報であってもよい。
【００３１】
ここで、ユーザーが入力装置１５００を用いて、患者情報（患者ＩＤ等）を指定すると、コンピュータ１５０が指定された患者情報に対応する光音響画像データの組み合わせにより算出可能な機能情報を識別可能に表示装置１４００に表示させてもよい。コンピュータ１５０は、指定された患者情報に対応する光音響画像データの組み合わせにより算出可能な機能情報を示すアイテムの表示態様と、その他の機能情報を示すアイテムの表示態様とを異ならせてもよい。また、算出可能な機能情報を示すアイテムの表示様態とその算出に用いる光音響画像データの表示様態とを関連付けて表示させてもよい。
【００３２】
このとき情報処理装置１３００は、入力装置１４００を介して、ユーザーにより指定された患者情報を取得する。また、情報処理装置１３００は、記憶装置１２００に記憶された光音響画像データ群の付帯情報を取得する。そして、情報処理装置１３００は、記憶装置１２００に記憶された光音響画像データ群の付帯情報を参照して、患者情報に対応する光音響画像データを決定する。さらに、情報処理装置１３００は、患者情報に対応する光音響画像データの組み合わせで算出可能な機能情報を示す情報を算出し、表示装置１４００に送信する。情報処理装置１３００は、付帯情報として患者情報に対応する光音響画像データの画像種別、撮影に用いられた波長、撮影日時などを参照して、算出可能な機能情報を算出する。また算出可能な機能情報の判定には、例えば機能情報ごとに好適な使用波長の範囲、ある一定以上、もしくは一定以下の撮像日時の間隔、撮像部位などを別途定めてもよく、この範囲はユーザーによって変更されてもよい。
【００３３】
機能情報は、複数の光音響画像データから算出される被検体の機能を示す情報である。例えば、機能情報は、グルコース濃度、コラーゲン濃度、メラニン濃度、脂肪や水の体積分率など、被検体を構成する物質の濃度情報であってもよい。また、機能情報は、被検体の状態の経時変化を特定することのできる複数の光音響画像データの差分情報であってもよい。
【００３４】
図４〜図８は、本実施形態に係る表示装置１４００に表示されるＧＵＩ（Ｇｒａｐｈｉｃａｌ  Ｕｓｅｒ−Ｉｎｔｅｒｆａｃｅ）を示す。表示領域１４１０は、後述する第１の光音響画像データに基づいた画像が表示される領域である。表示領域１４２０は、後述する第２の光音響画像データに基づいた画像が表示される領域である。表示領域１４３０は、機能情報に基づいた画像が表示される領域である。リスト１４４０は、機能情報の算出に用いられる第１の光音響画像データの候補のリストである。リスト１４５０は、機能情報の算出に用いられる第２の光音響画像データの候補のリストである。リスト１４４０及びリスト１４５０には、光音響画像データの候補を示す複数のアイテムが並べて表示されている。リスト１４４０及びリスト１４５０上に表示される光音響画像データに対応するアイテムは、記憶装置１２００に記憶された光音響画像データ群に対応するアイテム群である。情報処理装置１３００は、付帯情報を参照して、患者情報や光音響画像データに関する情報をリスト１４４０及び１４５０に表示させることができる。リスト１４６０は、算出が要求される機能情報の候補のリストである。
【００３５】
図４に示すように、本実施形態では、ユーザーが入力装置１５００を用いて、リスト１４６０の中から機能情報として酸素飽和度を指定する場合を説明する。なお、指定された酸素飽和度に対応するアイテムの表示態様（図４ではアイテムの枠の太さ）を変更してもよい。
【００３６】
（Ｓ４００：機能情報の算出に適した光音響画像データの組み合わせを表示する工程）
付帯情報取得手段としての情報処理装置１３００は、記憶装置１２００に記憶された光音響画像データ群の付帯情報を取得する。決定手段としての情報処理装置１３００は、記憶装置１２００に記憶された光音響画像データ群の付帯情報を参照して、要求情報により定義された機能情報を算出するのに適した光音響画像データの組み合わせを決定する。
【００３７】
例えば、情報処理装置１３００は、撮影日時が所定の期間に含まれる光音響画像データの組み合わせを、機能情報の算出に適した組み合わせとして決定してもよい。また、情報処理装置１３００は、撮影日時の差が所定の条件の光音響画像データの組み合わせを、機能情報の算出に適した組み合わせとして決定してもよい。機能情報として物質の濃度を算出する場合、撮影日時の差に対する所定の条件は短い方が好ましい。また、機能情報として差分情報を算出する場合、撮影日時の差に対する所定の条件は、予め決定されている経過観察の周期であることが好ましい。
【００３８】
また、情報処理装置１３００は、撮影部位が同一の光音響画像データの組み合わせを、機能情報の算出に適した組み合わせとして決定してもよい。
【００３９】
また、情報処理装置１３００は、測定波長が機能情報の算出に好適な光音響画像データの組み合わせを、機能情報の算出に適した組み合わせとして決定する。例えば、酸素飽和度を機能情報として算出する場合、７００ｎｍから１０００ｎｍの範囲から異なる測定波長に対応する光音響画像データの組み合わせを決定してもよい。情報処理装置１３００は、酸素飽和度を機能情報として算出する場合、画像種別が初期音圧分布または吸収係数分布を示す光音響画像であることが好ましい。情報処理装置１３００は、酸素飽和度を機能情報として算出する場合、画像種別が同一の光音響画像であることが好ましい。
【００４０】
例えば、機能情報として血液中の酸素飽和度の空間分布が指定された場合、情報処理装置１３００は、付帯情報としての患者情報を参照し、同一の患者の光音響画像データであるかを判定する。また、情報処理装置１３００は、付帯情報としての光音響画像データに関する情報を参照して、撮影部位が同一であるか、測定波長は所定の２波長で撮影された光音響画像データであるか、画像種別は吸収係数分布の光音響画像であるかを判定する。そして、情報処理装置１３００は、いずれの条件も満たすと判定した組み合わせの光音響画像データを、機能情報に適した組み合わせとして決定する。さらに、指定された光音響画像データが所定の２波長の光による測定が可能な装置で得られたものである場合、情報処理装置１３００は、撮影日が同一であるかどうかの条件を加えてもよい。なお、機能情報として酸素飽和度が指定されたときの判定条件はこれらに限定されない。
【００４１】
表示制御手段としての情報処理装置１３００は、表示装置１４００に機能情報の算出に適した光音響画像データの組み合わせを示す情報を出力する。表示装置１４００は機能情報の算出に適した光音響画像データの組み合わせを示す情報を表示させることができる。機能情報の算出に適した光音響画像データの組み合わせを示す情報の表示方法はいかなる方法であってもよい。例えば、情報処理装置１３００は、機能情報の算出に適した光音響画像データの組み合わせのリストを表示させてもよい。リストは、付帯情報としての患者情報や光音響画像データに関する情報を参照してソートされていてもよい。また、光音響画像データのリストにおいて、機能情報の算出に適切なデータと不適切なデータとの表示態様を異ならせてもよい。データを示すテキストの文字色を変更することにより表示態様を変更してもよいし、不適切なデータを非表示とすることにより表示態様を変更してもよい。
【００４２】
なお、表示装置１４００に出力される光音響画像データの組み合わせは１つであってもよいし、複数であってもよい。また、情報処理装置１３００は、機能情報の算出に適していない光音響画像データの組み合わせを示す情報を取得し、表示装置１４００に出力してもよい。
【００４３】
また、適合度情報取得手段としての情報処理装置１３００は、光音響画像データの組み合わせが適しているかを示す適合度情報を取得してもよい。情報処理装置１３００は、機能情報の算出に対する光音響画像データの組み合わせが最も適している場合を適合度１、機能情報の算出に対する光音響画像データの組み合わせが最も適していない場合を適合度０としてもよい。すなわち、機能情報の算出に適している光音響画像データの組み合わせであるかを決定することは、光音響画像データの組み合わせが機能情報の算出に適しているかを示す適合度情報を取得することに相当する。また、情報処理装置１３００は、適合度情報に基づいた情報を表示装置１４００に表示させることができる。
【００４４】
図５に示すように、情報処理装置１３００は、酸素飽和度の算出に適した光音響画像データの組み合わせに対応するアイテムの表示態様と、その他のアイテムの表示態様とが異なるように複数のアイテムを表示させている。すなわち、情報処理装置１３００は、リスト１４４０及びリスト１４５０に表示された光音響画像データ群中の適切な光音響画像データの組み合わせに対応するアイテムの表示態様を、その他のアイテムの表示態様とは異ならせている。図５に示す例では、適切な光音響画像データの組み合わせに対応するアイテムの外枠を点線で表示し、アイテムの背景色をその他のアイテムとは異なる色としている。これにより、ユーザーは、酸素飽和度の算出に適した光音響画像データの組み合わせに対応するアイテムを識別することができる。
【００４５】
（Ｓ５００：第１の光音響画像データを指定する工程）
ユーザーは、入力装置１５００を用いて、記憶装置１２００に記憶された光音響画像データ群から、機能情報の算出に用いる１つ目の光音響画像データ（第１の光音響画像データ）を指定する。例えば、ユーザーは、表示装置１４００に表示された光音響画像データ群のリストから所望の光音響画像データを指定することができる。光音響画像データ群の中から第１の光音響画像データを指定する方法は、いかなる方法であってもよい。指定情報取得手段としての情報処理装置１３００は、入力装置１５００を介して、ユーザーの指示に基づいて指定された第１の光音響画像データを定義する指定情報を取得する。情報処理装置１３００は、指定情報により定義された第１の光音響画像データの付帯情報を取得する。すなわち、情報処理装置１３００は、指定情報に基づいて、第１の光音響画像データの付帯情報を記憶装置１２００から読み出すことにより取得する。
【００４６】
図６は、第１の光音響画像データとして、リスト１４４０に挙げられた患者ＩＤ１、検査ＩＤ１１の光音響画像データに対応するアイテムが指定された場合を示す。情報処理装置１３００は、ユーザーにより指定された第１の光音響画像データに基づいた画像を表示領域１４１０に表示させている。これにより、ユーザーは、指定された光音響画像データが所望の画像データであるのかを確認することができる。
【００４７】
（Ｓ６００：指定された第１の光音響画像データが適切かを判定する工程）
情報処理装置１３００は、要求情報と第１の光音響画像データの付帯情報とに基づいて、要求情報により定義された機能情報を算出するのに第１の光音響画像データが適しているのかを決定する。すなわち、情報処理装置１３００は、機能情報に対する第１の光音響画像データの適合度を示す情報を取得する。なお、情報処理装置１３００は、光音響画像データが選択された時点で適合度の計算を開始してもよいし、表示装置１４００に表示された適合度の計算を開始するアイコンが選択してから適合度の計算を開始してもよい。
【００４８】
情報処理装置１３００は、指定された第１の光音響画像データの適合度が低い、すなわち指定された第１の光音響画像データが機能情報の算出に適していないと判断した場合、表示装置１４００にその旨を表示させる（Ｓ７００）。また、指定された光音響画像データの測定波長が所望のものでないなど、指定された第１の光音響画像データが不適切な理由を表示してもよい。
【００４９】
（Ｓ８００：機能情報の算出に適した第２の光音響画像データを表示する工程）
情報処理装置１３００は、指定された第１の光音響画像データの適合度が高い、すなわち指定された第１の光音響画像データが機能情報の算出に適していると判断した場合、機能情報の算出に適した別の光音響画像データを決定する。情報処理装置１３００は、要求情報、第１の光音響画像データを定義する指定情報、及び記憶装置１２００に記憶された光音響画像データ群の付帯情報に基づいて、機能情報の算出に適した、記憶装置１２００に記憶された別の光音響画像データを決定する。情報処理装置１３００は、機能情報の算出において、第１の光音響画像データとの組み合わせに適した２つ目の光音響画像データ（第２の光音響画像データ）を決定する。情報処理装置１３００は、機能情報の算出に適した第２の光音響画像データを示す情報を表示装置１４００に出力し、表示装置１４００を機能情報の算出に適した第２の光音響画像データを示す情報を表示させる。情報処理装置１３００は、組み合わせの適合度情報と同様に、機能情報の算出に対する第２の光音響画像データの適合度を示す適合度情報を表示装置１４００に出力してもよい。
【００５０】
図６に示すように、機能情報として酸素飽和度が指定され、第１の光音響画像データとして検査ＩＤ１１のアイテムが指定された場合、リスト１４５０に挙げられた検査ＩＤ１３のアイテムの表示態様が、その他のアイテムとは異なる。これにより、ユーザーは、酸素飽和度の算出に適し、かつ、第１の光音響画像データとの組み合わせに適した第２の光音響画像データの候補を容易に把握することができる。
【００５１】
（Ｓ９００：第２の光音響画像データを指定する工程）
ユーザーは、入力装置１５００を用いて、記憶装置１２００に記憶された光音響画像データ群から、機能情報の算出に用いる２つ目の光音響画像データ（第２の光音響画像データ）を指定する。例えば、ユーザーは、表示装置１４００に表示された光音響画像データ群のリストから所望の光音響画像データを指定することができる。光音響画像データ群の中から第２の光音響画像データを指定する方法は、いかなる方法であってもよい。情報処理装置１３００は、入力装置１５００を介して、ユーザーの指示に基づいて指定された第２の光音響画像データを定義する指定情報を取得する。情報処理装置１３００は、指定情報により定義された第２の光音響画像データの付帯情報を取得する。すなわち、情報処理装置１３００は、指定情報に基づいて、第２の光音響画像データの付帯情報を、記憶装置１２００から読み出すことにより取得する。
【００５２】
（Ｓ１０００：指定された光音響画像データの組み合わせが適切かを判定する工程）
情報処理装置１３００は、要求情報と第１及び第２の光音響画像データの付帯情報とに基づいて、要求情報により定義された機能情報を算出するのに適した光音響画像データの組み合わせであるのかを決定する。すなわち、情報処理装置１３００は、機能情報に対する第１及び第２の光音響画像データの組み合わせの適合度を示す情報を取得する。なお、情報処理装置１３００は、２つの光音響画像データが選択された時点で適合度の計算を開始してもよいし、表示装置１４００に表示された適合度の計算を開始するアイコンが選択してから適合度の計算を開始してもよい。
【００５３】
情報処理装置１３００は、指定された第１及び第２の光音響画像データの組み合わせの適合度が低い場合、表示装置１４００にその旨を表示させる（Ｓ１１００）。すなわち、情報処理装置１３００は、指定された第１及び第２の光音響画像データの組み合わせが機能情報の算出に適していないと判断した場合、表示装置１４００にその旨を表示させる。また、指定された光音響画像データの測定波長が所望のものでないなど、指定された第１及び第２の光音響画像データの組み合わせが不適切な理由を表示してもよい。また、指定された第１及び第２の光音響画像データの組み合わせの適合度が低い場合、情報処理装置１３００が機能情報の算出を実行できないように制御してもよい。
【００５４】
図７は、Ｓ４００で酸素飽和度を算出するうえで、検査ＩＤ１１に対応する光音響画像データとは組み合わせが適切ではない検査ＩＤ１２に対応する光音響画像データが指定された場合を示す。この場合、情報処理装置１３００は、検査ＩＤ１２に対応する光音響画像データが酸素飽和度の算出に適していない旨のアラートを表示領域１４３０に表示させる。なお、アラートを表示させる領域は表示領域１４３０に限らず、いかなる領域であってもよい。また、本実施形態では、情報処理装置１３００は、リスト１４５０から選択されたアイテムに対応する光音響画像データを表示領域１４２０に表示させている。また、情報処理装置１３００は、リスト１４５０上の適切な組み合わせ対象と判定された検査ＩＤ１３に対応するアイテムを、その他のアイテムとは異なる表示態様で表示させてもよい。
【００５５】
（Ｓ１２００：機能情報を算出する工程）
機能情報算出手段としての情報処理装置１３００は、指定された第１及び第２の光音響画像データの組み合わせの適合度が高い、すなわち指定された第１及び第２の光音響画像データが機能情報の算出に適していると判断した場合、機能情報を算出する。情報処理装置１３００は、ユーザーによって指定された第１及び第２の光音響画像データを用いて、機能情報を算出する。なお、情報処理装置１３００は適合度情報を表示装置１４００に送信し、第１及び第２の光音響画像データの組み合わせが機能情報の算出に適している旨を表示装置１４００に表示させてもよい。情報処理装置１３００は、適合度情報に基づいた表示がなされた後のユーザーからの指示に基づいて、機能情報の算出処理を開始してもよい。これにより、ユーザーは画像データの組み合わせの適合度を確認し、問題ないと判断したときに算出処理の開始の指示を行うことができる。なお、Ｓ４００で機能情報の算出に適した光音響画像データの組み合わせが一つしかなかった場合、情報処理装置１３００は、Ｓ５００−Ｓ１１００を実行せずに、Ｓ４００で決定された組み合わせに対応する光音響画像データを用いて機能情報を算出してもよい。また、情報処理装置１３００は、算出された機能情報を記憶装置１２００に出力し、記憶させてもよい。また、情報処理装置１３００は、算出された機能情報を表示装置１４００に出力し、機能情報に基づいた画像を表示させてもよい。
【００５６】
図８は、第１の光音響画像データとして検査ＩＤ１１に対応する光音響画像データが、第２の光音響画像データとして検査ＩＤ１３に対応する光音響画像データが、指定された場合を示す。この組み合わせはＳ４００で適切であると判定された組み合わせである。この場合、情報処理装置１３００は、検査ＩＤ１１に対応する光音響画像データと検査ＩＤ１３に対応する光音響画像データとを用いて、酸素飽和度を算出し、酸素飽和度の空間分布を示す画像を表示領域１４３０に表示させる。ここで表示されている機能情報は、付帯情報を参照して適切であると判定された光音響画像データの組み合わせにより算出された情報であるため、正しい情報となる可能性が高い。
【００５７】
なお、本実施形態では、ユーザーが２つの光音響画像データを順番に指定する例を説明したが、機能情報の算出に用いる光音響画像データの指定方法がこの方法に限らない。Ｓ４００で表示された組み合わせを指定することにより、組み合わせに対応する複数の光音響画像データをまとめて指定してもよい。また、機能情報の算出に用いる光音響画像データの個数は２つに限らず、３つ以上の光音響画像データを指定することにより、３つ以上の光音響画像データを用いて機能情報を算出してもよい。
【００５８】
なお、本実施形態では、システムが光音響画像データを生成する光音響装置１１００を含む例を説明したが、光音響装置１１００を含まないシステムにも本発明は適用可能である。情報処理装置１３００が、光音響画像データを取得できる限り、いかなるシステムであっても本発明を適用することができる。例えば、光音響装置１１００を含まず、記憶装置１２００と情報処理装置１３００とを含むシステムであっても本発明を適用することができる。この場合、情報処理装置１３００は、記憶装置１２００に予め記憶された光音響画像データ群の中から指定された光音響画像データを読み出すことにより、光音響画像データを取得することができる。
【００５９】
なお、算出が要求されている機能情報を定義する要求情報と、記憶装置１２００に光音響画像データの付帯情報とに基づいて、機能情報の算出に適した光音響画像データを指定できる限り、いかなる方法で光音響画像データの指定を補助してもよい。例えば、Ｓ４００→Ｓ５００→Ｓ９００→Ｓ１２００の順に実行することにより、ユーザーは機能情報の算出に適した組み合わせを参照しながら、複数の光音響画像データを指定することができる。また、Ｓ５００→Ｓ６００→Ｓ７００→Ｓ５００・・・の順に実行することにより、ユーザーは機能情報の算出に適していない第１の光音響画像データを指定してしまう可能性を低減することができる。また、Ｓ８００→Ｓ９００の順に実行することにより、ユーザーは、機能情報の算出に適しており、かつ、第１の光音響画像データとの組み合わせにも適した第２の光音響画像データを指定しやすくなる。また、Ｓ５００→Ｓ９００→Ｓ１０００→Ｓ１１００→Ｓ１０００の順に実行することにより、機能情報の算出に適していない組み合わせの光音響画像データを指定してしまう可能性を低減することができる。以上、いずれの例においても、本実施形態に係る情報処理装置によれば、ユーザーは機能情報の算出に適した光音響画像データを指定しやすくなる。
【００６０】
次に、本実施形態に係るシステムに含まれる装置の構成例を説明する。図９は、本実施形態に係るシステムに含まれる装置の概略ブロック図である。
【００６１】
本実施形態に係る光音響装置１１００は、駆動部１３０、信号収集部１４０、コンピュータ１５０、及びプローブ１８０を有する。プローブ１８０は、光照射部１１０、及び受信部１２０を有する。図１０は、本実施形態に係るプローブ１８０の模式図を示す。測定対象は、被検体１００である。駆動部１３０は、光照射部１１０と受信部１２０を駆動し、機械的な走査を行う。光照射部１１０が光を被検体１００に照射し、被検体１００内で音響波が発生する。光に起因して光音響効果により発生する音響波を光音響波とも呼ぶ。受信部１２０は、光音響波を受信することによりアナログ信号としての電気信号（光音響信号）を出力する。
【００６２】
信号収集部１４０は、受信部１２０から出力されたアナログ信号をデジタル信号に変換し、コンピュータ１５０に出力する。コンピュータ１５０は、信号収集部１４０から出力されたデジタル信号を、光音響波に由来する信号データとして記憶する。
【００６３】
コンピュータ１５０は、記憶されたデジタル信号に対して信号処理を行うことにより、光音響画像データを生成する。また、コンピュータ１５０は、得られた光音響画像データに対して画像処理を施した後に、光音響画像データを表示部１６０に出力する。表示部１６０は、光音響画像データに基づいた光音響画像を表示する。表示画像は、ユーザーやコンピュータ１５０からの保存指示に基づいて、コンピュータ１５０内のメモリや、モダリティとネットワークで接続されたデータ管理システムなどの記憶装置１２００に保存される。
【００６４】
また、コンピュータ１５０は、光音響装置に含まれる構成の駆動制御も行う。また、表示部１６０は、コンピュータ１５０で生成された画像の他にＧＵＩなどを表示してもよい。入力部１７０は、ユーザーが情報を入力できるように構成されている。ユーザーは、入力部１７０を用いて測定開始や終了、作成画像の保存指示などの操作を行うことができる。
【００６５】
以下、本実施形態に係る光音響装置１１００の各構成の詳細を説明する。
【００６６】
（光照射部１１０）
光照射部１１０は、光を発する光源１１１と、光源１１１から射出された光を被検体１００へ導く光学系１１２とを含む。なお、光は、いわゆる矩形波、三角波などのパルス光を含む。
【００６７】
光源１１１が発する光のパルス幅としては、１ｎｓ以上、１００ｎｓ以下のパルス幅であってもよい。また、光の波長として４００ｎｍから１６００ｎｍ程度の範囲の波長であってもよい。血管を高解像度でイメージングする場合は、血管での吸収が大きい波長（４００ｎｍ以上、７００ｎｍ以下）を用いてもよい。生体の深部をイメージングする場合には、生体の背景組織（水や脂肪など）において典型的に吸収が少ない波長（７００ｎｍ以上、１１００ｎｍ以下）の光を用いてもよい。
【００６８】
光源１１１としては、レーザーや発光ダイオードを用いることができる。また、複数波長の光を用いて測定する際には、波長の変更が可能な光源であってもよい。なお、複数波長を被検体に照射する場合、互いに異なる波長の光を発生する複数台の光源を用意し、それぞれの光源から交互に照射することも可能である。複数台の光源を用いた場合もそれらをまとめて光源として表現する。レーザーとしては、固体レーザー、ガスレーザー、色素レーザー、半導体レーザーなど様々なレーザーを使用することができる。例えば、Ｎｄ：ＹＡＧレーザーやアレキサンドライトレーザーなどのパルスレーザーを光源として用いてもよい。また、Ｎｄ：ＹＡＧレーザー光を励起光とするＴｉ：ｓａレーザーやＯＰＯ（Ｏｐｔｉｃａｌ  Ｐａｒａｍｅｔｒｉｃ  Ｏｓｃｉｌｌａｔｏｒｓ）レーザーを光源として用いてもよい。また、光源１１１としてフラッシュランプや発光ダイオードを用いてもよい。また、光源１１１としてマイクロウェーブ源を用いてもよい。
【００６９】
光学系１１２には、レンズ、ミラー、光ファイバ等の光学素子を用いることができる。乳房等を被検体１００とする場合、パルス光のビーム径を広げて照射するために、光学系の光出射部は光を拡散させる拡散板等で構成されていてもよい。一方、光音響顕微鏡においては、解像度を上げるために、光学系１１２の光出射部はレンズ等で構成し、ビームをフォーカスして照射してもよい。
【００７０】
なお、光照射部１１０が光学系１１２を備えずに、光源１１１から直接被検体１００に光を照射してもよい。
【００７１】
（受信部１２０）
受信部１２０は、音響波を受信することにより電気信号を出力するトランスデューサ１２１と、トランスデューサ１２１を支持する支持体１２２とを含む。また、トランスデューサ１２１は、音響波を送信する送信手段としてもよい。受信手段としてのトランスデューサと送信手段としてのトランスデューサとは、単一（共通）のトランスデューサでもよいし、別々の構成であってもよい。
【００７２】
トランスデューサ１２１を構成する部材としては、ＰＺＴ（チタン酸ジルコン酸鉛）に代表される圧電セラミック材料や、ＰＶＤＦ（ポリフッ化ビニリデン）に代表される高分子圧電膜材料などを用いることができる。また、圧電素子以外の素子を用いてもよい。例えば、静電容量型トランスデューサ（ＣＭＵＴ：Ｃａｐａｃｉｔｉｖｅ  Ｍｉｃｒｏ−ｍａｃｈｉｎｅｄ  Ｕｌｔｒａｓｏｎｉｃ  Ｔｒａｎｓｄｕｃｅｒｓ）を用いたトランスデューサなどを用いることができる。なお、音響波を受信することにより電気信号を出力できる限り、いかなるトランスデューサを採用してもよい。また、トランスデューサにより得られる信号は時間分解信号である。つまり、トランスデューサにより得られる信号の振幅は、各時刻にトランスデューサで受信される音圧に基づく値（例えば、音圧に比例した値）を表したものである。
【００７３】
光音響波を構成する周波数成分は、典型的には１００ＫＨｚから１００ＭＨｚであり、トランスデューサ１２１として、これらの周波数を検出することのできるものを採用することができる。
【００７４】
支持体１２２は、機械的強度が高い金属材料などから構成されていてもよい。照射光を被検体に多く入射させるために、支持体１２２の被検体１００側の表面に、鏡面加工もしくは光散乱させる加工が行われていてもよい。本実施形態において支持体１２２は半球殻形状であり、半球殻上に複数のトランスデューサ１２１を支持できるように構成されている。この場合、支持体１２２に配置されたトランスデューサ１２１の指向軸は半球の曲率中心付近に集まる。そして、複数のトランスデューサ１２１から出力された信号を用いて画像化したときに曲率中心付近の画質が高くなる。なお、支持体１２２はトランスデューサ１２１を支持できる限り、いかなる構成であってもよい。支持体１２２は、１Ｄアレイ、１．５Ｄアレイ、１．７５Ｄアレイ、２Ｄアレイと呼ばれるような平面又は曲面内に、複数のトランスデューサを並べて配置してもよい。複数のトランスデューサ１２１が複数の受信手段に相当する。
【００７５】
また、支持体１２２は音響マッチング材を貯留する容器として機能してもよい。すなわち、支持体１２２をトランスデューサ１２１と被検体１００との間に音響マッチング材を配置するための容器としてもよい。
【００７６】
また、受信部１２０が、トランスデューサ１２１から出力される時系列のアナログ信号を増幅する増幅器を備えてもよい。また、受信部１２０が、トランスデューサ１２１から出力される時系列のアナログ信号を時系列のデジタル信号に変換するＡ／Ｄ変換器を備えてもよい。すなわち、受信部１２０が後述する信号収集部１４０を備えてもよい。
【００７７】
受信部１２０と被検体１００との間の空間は、光音響波が伝播することができる媒質で満たす。この媒質には、音響波が伝搬でき、被検体１００やトランスデューサ１２１との界面において音響特性が整合し、できるだけ光音響波の透過率が高い材料を採用する。例えば、この媒質には、水、超音波ジェルなどを採用することができる。
【００７８】
図１０は、プローブ１８０の側面図を示す。本実施形態に係るプローブ１８０は、開口を有する半球状の支持体１２２に複数のトランスデューサ１２１が三次元に配置された受信部１２０を有する。また、支持体１２２の底部には、光学系１１２の光射出部が配置されている。
【００７９】
本実施形態においては、図１０に示すように被検体１００は、保持部２００に接触することにより、その形状が保持される。
【００８０】
受信部１２０と保持部２００の間の空間は、光音響波が伝播することができる媒質で満たされる。この媒質には、光音響波が伝搬でき、被検体１００やトランスデューサ１２１との界面において音響特性が整合し、できるだけ光音響波の透過率が高い材料を採用する。例えば、この媒質には、水、超音波ジェルなどを採用することができる。
【００８１】
保持手段としての保持部２００は被検体１００の形状を測定中に保持するために使用される。保持部２００により被検体１００を保持することによって、被検体１００の動きの抑制および被検体１００の位置を保持部２００内に留めることができる。保持部２００の材料には、ポリカーボネートやポリエチレン、ポリエチレンテレフタレート等、樹脂材料を用いることができる
保持部２００は、取り付け部２０１に取り付けられている。取り付け部２０１は、被検体の大きさに合わせて複数種類の保持部２００を交換可能に構成されていてもよい。例えば、取り付け部２０１は、曲率半径や曲率中心などの異なる保持部に交換できるように構成されていてもよい。
【００８２】
（駆動部１３０）
駆動部１３０は、被検体１００と受信部１２０との相対位置を変更する部分である。駆動部１３０は、駆動力を発生させるステッピングモータなどのモータと、駆動力を伝達させる駆動機構と、受信部１２０の位置情報を検出する位置センサとを含む。駆動機構としては、リードスクリュー機構、リンク機構、ギア機構、油圧機構、などを用いることができる。また、位置センサとしては、エンコーダー、可変抵抗器、リニアスケール、磁気センサ、赤外線センサ、超音波センサなどを用いたポテンショメータなどを用いることができる。
【００８３】
なお、駆動部１３０は被検体１００と受信部１２０との相対位置をＸＹ方向（二次元）に変更させるものに限らず、一次元または三次元に変更させてもよい。
【００８４】
なお、駆動部１３０は、被検体１００と受信部１２０との相対的な位置を変更できれば、受信部１２０を固定し、被検体１００を移動させてもよい。被検体１００を移動させる場合は、被検体１００を保持する保持部を動かすことで被検体１００を移動させる構成などが考えられる。また、被検体１００と受信部１２０の両方を移動させてもよい。
【００８５】
駆動部１３０は、相対位置を連続的に移動させてもよいし、ステップアンドリピートによって移動させてもよい。駆動部１３０は、プログラムされた軌跡で移動させる電動ステージであってもよいし、手動ステージであってもよい。
【００８６】
また、本実施形態では、駆動部１３０は光照射部１１０と受信部１２０を同時に駆動して走査を行っているが、光照射部１１０だけを駆動したり、受信部１２０だけを駆動したりしてもよい。
【００８７】
（信号収集部１４０）
信号収集部１４０は、トランスデューサ１２１から出力されたアナログ信号である電気信号を増幅するアンプと、アンプから出力されたアナログ信号をデジタル信号に変換するＡ／Ｄ変換器とを含む。信号収集部１４０から出力されるデジタル信号は、コンピュータ１５０内の記憶部１５２に記憶される。信号収集部１４０は、Ｄａｔａ  Ａｃｑｕｉｓｉｔｉｏｎ  Ｓｙｓｔｅｍ（ＤＡＳ）とも呼ばれる。本明細書において電気信号は、アナログ信号もデジタル信号も含む概念である。なお、フォトダイオードなどの光検出センサが、光照射部１１０から光射出を検出し、信号収集部１４０がこの検出結果をトリガーに同期して上記処理を開始してもよい。
【００８８】
（コンピュータ１５０）
コンピュータ１５０は、情報処理装置１３００と同様のハードウェアで構成されている。すなわち、コンピュータ１５０の演算機能を担うユニットは、ＣＰＵやＧＰＵ（Ｇｒａｐｈｉｃｓ  Ｐｒｏｃｅｓｓｉｎｇ  Ｕｎｉｔ）等のプロセッサ、ＦＰＧＡ（Ｆｉｅｌｄ  Ｐｒｏｇｒａｍｍａｂｌｅ  Ｇａｔｅ  Ａｒｒａｙ）チップ等の演算回路で構成されることができる。これらのユニットは、単一のプロセッサや演算回路から構成されるだけでなく、複数のプロセッサや演算回路から構成されていてもよい。
【００８９】
コンピュータ１５０の記憶機能を担うユニットは、ＲＡＭ（Ｒａｎｄｏｍ  Ａｃｃｅｓｓ  Ｍｅｍｏｒｙ）などの揮発性の媒体であってもよい。なお、プログラムが格納される記憶媒体は、非一時記憶媒体である。なお、コンピュータ１５０の記憶機能を担うユニットは、１つの記憶媒体から構成されるだけでなく、複数の記憶媒体から構成されていてもよい。
【００９０】
コンピュータ１５０の制御機能を担うユニットは、ＣＰＵなどの演算素子で構成される。コンピュータ１５０の制御機能を担うユニットは、光音響装置の各構成の動作を制御する。コンピュータ１５０の制御機能を担うユニットは、入力部１７０からの測定開始などの各種操作による指示信号を受けて、光音響装置の各構成を制御してもよい。また、コンピュータ１５０の制御機能を担うユニットは、記憶機能を担うユニットに格納されたプログラムコードを読み出し、光音響装置の各構成の作動を制御する。
【００９１】
（表示部１６０）
表示部１６０は、液晶ディスプレイや有機ＥＬ（Ｅｌｅｃｔｒｏ  Ｌｕｍｉｎｅｓｃｅｎｃｅ）などのディスプレイである。また、表示部１６０は、画像や装置を操作するためのＧＵＩを表示してもよい。
【００９２】
（入力部１７０）
入力部１７０としては、ユーザーが操作可能な、マウスやキーボードなどで構成される操作コンソールを採用することができる。また、表示部１６０をタッチパネルで構成し、表示部１６０を入力部１７０として利用してもよい。
【００９３】
（被検体１００）
被検体１００は光音響装置を構成するものではないが、以下に説明する。本実施形態に係る光音響装置は、人や動物の悪性腫瘍や血管疾患などの診断や化学治療の経過観察などを目的として使用できる。よって、被検体１００としては、生体、具体的には人体や動物の乳房や各臓器、血管網、頭部、頸部、腹部、手指または足指を含む四肢などの診断の対象部位が想定される。例えば、人体が測定対象であれば、オキシヘモグロビンあるいはデオキシヘモグロビンやそれらを含む多く含む血管あるいは腫瘍の近傍に形成される新生血管などを光吸収体の対象としてもよい。また、頸動脈壁のプラークなどを光吸収体の対象としてもよい。また、皮膚等に含まれるメラニン、コラーゲン、脂質などを光吸収体の対象としてもよい。また、メチレンブルー（ＭＢ）、インドシニアングリーン（ＩＣＧ）などの色素、金微粒子、またはそれらを集積あるいは化学的に修飾した外部から導入した物質を光吸収体としてもよい。また、生体を模したファントムを被検体１００としてもよい。
【００９４】
なお、光音響装置の各構成はそれぞれ別の装置として構成されてもよいし、一体となった１つの装置として構成されてもよい。また、光音響装置の少なくとも一部の構成が一体となった１つの装置として構成されてもよい。
【００９５】
なお、光音響装置の各構成はそれぞれ別の装置として構成されてもよいし、一体となった１つの装置として構成されてもよい。また、光音響装置の少なくとも一部の構成が一体となった１つの装置として構成されてもよい。
【００９６】
なお、本実施形態に係るシステムを構成する各装置は、それぞれが別々のハードウェアで構成されていてもよいし、全ての装置が１つのハードウェアで構成されていてもよい。本実施形態に係るシステムの機能は、いかなるハードウェアで構成されていてもよい。
【００９７】
（被検体の機能情報を取得するためのフロー）
次に、光音響装置１１００が行う光音響画像データの生成の各工程を、図１１を参照して説明する。本フローにおいては、所定の２波長の吸収係数分布を用いて、血液中の酸素飽和度の空間分布を機能情報として算出する例を説明する。
【００９８】
（Ｓ１１０：制御パラメータを指定する工程）
ユーザーが、被検体情報の取得のために必要な光照射部１１０の照射条件（繰り返し周波数や波長など）やプローブ１８０の位置などの制御パラメータを、入力部１７０を用いて指定する。コンピュータ１５０は、ユーザーの指示に基づいて決定された制御パラメータを設定する。
【００９９】
（Ｓ１２０：プローブを指定位置に移動させる工程）
制御部１５３が、Ｓ１１０で指定された制御パラメータに基づいて、駆動部１３０にプローブ１８０を指定の位置へ移動させる。Ｓ１１０において複数位置での撮影が指定された場合には、駆動部１３０は、まずプローブ１８０を最初の指定位置へ移動させる。なお、駆動部１３０は、測定の開始指示がなされたときに、あらかじめプログラムされた位置にプローブ１８０を移動させてもよい。
【０１００】
（Ｓ１３０：光を照射する工程）
光照射部１１０は、Ｓ１１０で指定された制御パラメータに基づいて、被検体１００に光を照射する。
【０１０１】
光源１１１から発生した光は、光学系１１２を介してパルス光として被検体１００に照射される。そして、被検体１００の内部でパルス光が吸収され、光音響効果により光音響波が生じる。光照射部１１０はパルス光の伝送と併せて信号収集部１４０へ同期信号を送信する。
【０１０２】
（Ｓ１４０：光音響波を受信する工程）
信号収集部１４０は、光照射部１１０から送信された同期信号を受信すると、信号収集の動作を開始する。すなわち、信号収集部１４０は、受信部１２０から出力された、音響波に由来するアナログ電気信号を、増幅・ＡＤ変換することにより、増幅されたデジタル電気信号を生成し、コンピュータ１５０へ出力する。コンピュータ１５０は、信号収集部１４０から送信された信号を記憶部１５２に保存する。Ｓ１１０で複数の走査位置での撮影を指定した場合には、指定した走査位置において、Ｓ１２０−Ｓ１４０のステップを繰り返し実行し、パルス光の照射と音響波に由来するデジタル信号の生成を繰り返す。なお、コンピュータ１５０は、発光をトリガーとして、発光時の受信部１２０の位置情報を駆動部１３０の位置センサからの出力に基づいて取得し、記憶してもよい。
【０１０３】
（Ｓ１５０：光音響画像データを生成する工程）
画像生成手段としてのコンピュータ１５０の演算部１５１は、記憶部１５２に記憶された信号データに基づいて、光音響画像データを生成する。コンピュータ１５０は、生成された光音響画像データを記憶装置１２００に出力し、記憶させる。
【０１０４】
信号データを空間分布としてのボリュームデータに変換する再構成アルゴリズムとしては、タイムドメインでの逆投影法やフーリエドメインでの逆投影法などの解析的な再構成法やモデルベース法（繰り返し演算法）を採用することができる。例えば、タイムドメインでの逆投影法として、Ｕｎｉｖｅｒｓａｌ  ｂａｃｋ−ｐｒｏｊｅｃｔｉｏｎ（ＵＢＰ）、Ｆｉｌｔｅｒｅｄ  ｂａｃｋ−ｐｒｏｊｅｃｔｉｏｎ（ＦＢＰ）、または整相加算（Ｄｅｌａｙ−ａｎｄ−Ｓｕｍ）などが挙げられる。
【０１０５】
また、演算部１５１は、被検体１００に照射された光の被検体１００の内部での光フルエンス分布を計算し、初期音圧分布を光フルエンス分布で除算することにより、吸収係数分布情報を取得してもよい。この場合、吸収係数分布情報を光音響画像データとして取得してもよい。さらに、複数の波長の光を用いて、Ｓ１３０、Ｓ１４０の工程を実行し、本工程で演算部１５１は、複数の波長の光のそれぞれに対応する初期音圧分布情報や吸収係数分布情報を取得してもよい。
【０１０６】
（その他の実施例）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【図１】
2019088576.tif 000003
【図２】
2019088576.tif 000004
【図３】
2019088576.tif 000005
【図４】
2019088576.tif 000006
【図５】
2019088576.tif 000007
【図６】
2019088576.tif 000008
【図７】
2019088576.tif 000009
【図８】
2019088576.tif 000010
【図９】
2019088576.tif 000011
【図１０】
2019088576.tif 000012
【図１１】
2019088576.tif 000013